【手続補正書】
【提出日】平成19年10月25日(2007.10.25)
【手続補正１】
【補正対象書類名】明細書
【補正対象項目名】特許請求の範囲
【補正方法】変更
【補正の内容】
【特許請求の範囲】
【請求項１】  第１のスイッチングノード（３Ｇ  ＭＳＣ１）によって制御される第１の基地局サブシステムから第２のスイッチングノード（ＧＳＭ  ＭＳＣ２）によって制御される第２の基地局サブシステムへの移動通信システムにおいて、
少なくとも２つの接続仕様に従って基地局に接続可能なユーザ機器（ＵＥ）を用い、前記通信システムが前記少なくとも２つの仕様の１つを用いて前記ユーザ機器（ＵＥ）に接続する異なる基地局サブシステムを有し、
前記第２のスイッチングノード（ＧＳＭ  ＭＳＣ２）は、前記基地局サブシステムと前記ユーザ機器（ＵＥ）との間のインタフェースにおいて用いられる接続仕様に対応するプロトコルを用いた前記第２の基地局サブシステムを制御し、
前記スイッチングノード（３Ｇ  ＭＳＣ１、ＧＳＭ  ＭＳＣ２）は、前記プロトコルの１つについてのパラメータセットを内包するハンドオーバ手順でメッセージを交換し、
前記パラメータセットは、前記ユーザ機器（ＵＥ）から前記第１のスイッチングノード（３Ｇ  ＭＳＣ１）に送信されるメッセージから前記第１のスイッチングノード（３Ｇ  ＭＳＣ１）において生成される、ユーザ機器（ＵＥ）のハンドオーバの方法であって、
前記第１のスイッチングノード（３Ｇ  ＭＳＣ１）は、前記ユーザ機器（ＵＥ）から送信されるメッセージから、前記ユーザ機器（ＵＥ）が異なる仕様に従った接続が可能であるかどうかを検出し、
前記第１のスイッチングノード（３Ｇ  ＭＳＣ１）は、前記第２のスイッチングノード（ＧＳＭ  ＭＳＣ２）の前記第２の基地局サブシステムへの接続のプロトコルに従って前記第２のスイッチングノード（ＧＳＭ  ＭＳＣ２）への前記メッセージに内包された前記パラメータセットを選択することを特徴とする方法。
【請求項２】  前記第１のスイッチングノードは、異なるプロトコルについてのパラメータセットを生成することを特徴とする請求項１に記載の方法。
【請求項３】  前記第１のスイッチングノードは、前記ユーザ機器から送信されたメッセージから前記パラメータセットを生成することを特徴とする請求項２に記載の方法。
【請求項４】  前記スイッチングノードは、１つのプロトコルについての前記パラメータセットを異なるプロトコルについてのパラメータセットにマップすることを特徴とする請求項１に記載の方法。
【請求項５】  前記プロトコルの１つについてのパラメータセットを内包するメッセージは、後に続くハンドオーバにおいて、前記第１のスイッチングノードからさらなるスイッチングノードへと送信されることを特徴とする請求項１乃至４のいずれかに記載の方法。
【請求項６】  前記第２及び前記さらなるスイッチングノードは、同一であるか、或いは、並んで配置されており、異なるプロトコルを用いた基地局サブシステムを制御することを特徴とする請求項５に記載の方法。
【請求項７】  前記スイッチングノード間のメッセージにおいて内包される前記パラメータセットは、前記第２のスイッチングノードと前記第２の基地局サブシステムとの間で用いられる前記プロトコルに対応していることを特徴とする請求項１乃至６のいずれかに記載の方法。
【請求項８】  前もって定義されたプロトコルについてのパラメータセットが送信され、前記第２或いは前記さらなるスイッチングノードにおいて、前記第２の基地局サブシステムの制御に用いられるプロトコルについてのパラメータセットへとマップされることを特徴とする請求項５に記載の方法。
【請求項９】  前記パラメータセットが前記前もって定義されたプロトコルのために送信され、さらなるプロトコルのためのパラメータセットは前記前もって定義されたプロトコルの拡張フィールドに内包されることを特徴とする請求項８に記載の方法。
【請求項１０】  前記さらなるプロトコルのための前記パラメータセットは、前記拡張フィールドに内包された前記さらなるプロトコルに従うメッセージに内包されることを特徴とする請求項９に記載の方法。
【請求項１１】  前記さらなるプロトコルに従う第１のグループのパラメータは前記拡張フィールドに内包され、前記第２のスイッチングノードは前記前もって定義されたプロトコルから前記第２の基地局サブシステムの制御のためのプロトコルへと第２のグループのパラメータをマッピングすることを実行することを特徴とする請求項９に記載の方法。
【請求項１２】  移動通信システムのスイッチングノードであって、第２のスイッチングノードと異なる接続仕様に従う基地局サブシステムへと接続可能なユーザ機器とを伴っており、
前記スイッチングノードは、第１の基地局サブシステムの制御手段と、前記第１の基地局サブシステムとの接続を前記基地局サブシステムと前記ユーザ機器との間のインタフェースにおいて用いられる接続仕様に対応したプロトコルを用いて行なう第１のインタフェースとを有し、
前記スイッチングノードは、前記第１の基地局サブシステムから前記第２のスイッチングノードによって制御される第２の基地局サブシステムへの前記ユーザ機器のハンドオーバ手順において、前記第２のスイッチングノードとのメッセージの交換のための第２のインタフェースと、前記ユーザ機器から送信されるメッセージからパラメータセットを生成する手段とを有し、前記メッセージは前記第２の基地局サブシステムと前記第２のスイッチングノードとの間の接続プロトコルのためのパラメータセットを内包しており、
前記スイッチングノードは、
前記ユーザ機器から送信されるメッセージから、前記ユーザ機器が基地局サブシステムへの前記インタフェースにおいて異なる仕様に従った接続が可能であるかどうかを検出する手段と、
前記第２のスイッチングノードを前記ユーザ機器のハンドオーバ手順が実行される前記基地局サブシステムに接続するプロトコルに従って前記第２のスイッチングノードへの前記メッセージに内包された前記パラメータセットを選択する手段とを有することを特徴とするスイッチングノード。
【請求項１３】  前記スイッチングノードは、異なるプロトコルについてのパラメータセットを生成する手段と前記セットを格納するメモリとを有することを特徴とする請求項１２に記載のスイッチングノード。
【請求項１４】  前記スイッチングノードは、
前記ユーザ機器から送信されたメッセージから前記パラメータセットを生成する手段、或いは、
１つのプロトコルについての前記パラメータセットを異なるプロトコルについてのパラメータセットにマップする手段を有することを特徴とする請求項１２又は１３に記載のスイッチングノード。
【請求項１５】  前記スイッチングノードは、
第１の接続仕様についてのパラメータセットを第２の接続仕様についてのメッセージに内包させる手段を有することを特徴とする請求項１２乃至１４のいずれかに記載のスイッチングノード。
【請求項１６】  前記スイッチングノードは、
第２の接続仕様についてのメッセージから、第１の接続仕様についてのパラメータセットを抽出する手段を有することを特徴とする請求項１２乃至１５のいずれかに記載のスイッチングノード。
【請求項１７】  データキャリアにおける、或いは通信システムにおける基地局サブシステムを制御するスイッチングノードへとロード可能なプログラムであって、
前記プログラムは、第１の基地局サブシステムから第２のスイッチングノードによって制御される第２の基地局サブシステムへのユーザ機器のハンドオーバにおいて実行され、
前記通信システムは、前記ユーザ機器へのインタフェースでの接続仕様において異なる基地局サブシステムを有しており、
前記スイッチングノードは、前記基地局サブシステムと前記ユーザ機器との間のインタフェースについての接続仕様に対応するプロトコルを用いて基地局サブシステムを制御し、
前記プログラムは、前記ハンドオーバにおけるメッセージを前記第２のスイッチングノードと交換する手段と、前記ユーザ機器から前記スイッチングノードへと送信されるメッセージから前記パラメータセットを生成する手段とを有し、前記メッセージは前記プロトコルの１つについてのパラメータセットを内包しており、
前記プログラムは、
前記ユーザ機器から送信されるメッセージから、異なる仕様に従った接続が可能であるかどうかを調べ、
前記プログラムは、
前記第２のスイッチングノードを前記ユーザ機器のハンドオーバ手順が実行される前記基地局サブシステムに接続するプロトコルに従って前記第２のスイッチングノードへの前記メッセージに内包された前記パラメータセットを選択することを特徴とするプログラム。
【請求項１８】  前記プログラムは、請求項１乃至１１のいずれかに記載の方法の少なくとも１つの工程を実行することを特徴とする請求項１７に記載のプログラム。